(57)【特許請求の範囲】
【請求項１】
ドアを開閉するためにドアの表面から突出して手で握り可能に形成された全体が略Ｌ字状のドアハンドルであって、
金属からなるドアハンドル芯材と、そのドアハンドル芯材の手で握る部分の表面を被覆するドアハンドル表面材とを備え、
ドアハンドル芯材は、ドア表面から反ドア側に突出する基端部と、この基端部の先端からドア表面に対して略平行に延びるとともに手で握り可能な握持部と、この握持部の先端に固定ピンにより固定されるエルボー芯材とを備え、
前記握持部は、柱状部を備え、
ドアハンドル表面材は、樹脂とセルロース系材料の微粉末とを主材とする組成物から形成されるとともに、前記柱状部の周囲にはめ込み可能な筒状の筒状部を備えてなり、
ドアハンドル芯材の握持部の柱状部と、ドアハンドル表面材の筒状部との間には、ドアハンドル表面材がドアハンドル芯材の周囲を回転しないように一方側の表面から他方側に向かって長手方向に沿って突出する突条と、他方側の表面に位置して前記突条が係合する係合溝とが形成され、
ドアハンドル表面材の筒状部は、柱状部の周囲にはめ込んだ状態で、前記握持部と前記エルボー芯材との間に介装されていることを特徴とするドアハンドル。
【発明の詳細な説明】
【０００１】
【発明の属する技術分野】
この発明は、ドアハンドル表面材を使用したドアハンドルに関する。
【０００２】
【先行技術】
従来のドアハンドルは、全体形状が略Ｌ字状であって、ドア表面から突出して手で握り可能に形成されていた。そして、この従来のドアハンドルは、強度的な面からステンレス等の金属材料を使用する場合が多かった。
【０００３】
【発明が解決しようとする課題】
しかし、上記した従来の金属材料からなるドアハンドルは、冬季に直接、手の皮膚がドアハンドルの金属表面に接触すると、冷たく感じ、触った感触が良くないという第一の問題点があった。
さらに、ドアハンドルの手で握る部分の表面に樹脂からなる表面材を被覆すると、金属表面に手の皮膚が直接、接触しないため、冷たく感じることはないが、樹脂特有の表面がツルッとした感触により、握ったときの感触が良くなく、また、樹脂の表面外観により高級感を感じないという第二の問題点があった。
【０００４】
さらに、かかる表面材の表面に木目模様が印刷されたシートを貼付すると、樹脂材のみのものより、外観が良好となるが、繰り返し握られることにより、その表面の印刷した木目模様がこすれて消失してしまい、外観不良となってしまうという第三の問題点があった。
そこで、請求項１記載の発明は、上記した従来の技術の有する第一および第二の問題点に鑑みてなされたものであり、その目的とするところは、金属表面に直接、手の皮膚が接触することを抑えることができるとともに、セルロース系材料が含有されていることにより、樹脂材特有のツルッとした感触がなくなり、天然木製建材に類似する柔らかみのある弾性と小さな熱電導率を有し、温暖でしっとりとした手になじむ感触を与えることができるドアハンドル表面材を使用したドアハンドルを提供しようとするものである。
【０００５】
これに加え、この請求項１記載の発明は、手間をかけずに製品品質のばらつきが少ないうえに木目模様を呈することができ、外観が良好なドアハンドル表面材を使用するドアハンドルを提供しようとするものである。
また、この請求項１記載の発明は、上記した従来の技術の有する第三の問題点に鑑みてなされたものであり、その目的とするところは、金属表面に直接、手の皮膚が接触することを抑えることができるとともに、セルロース系材料が含有されていることにより、樹脂材特有のツルッとした感触がなくなり、天然木製建材に類似する柔らかみのある弾性と小さな熱電導率を有し、温暖でしっとりとした手になじむ感触を与えることができるドアハンドルを提供しようとするものである。
【０００６】
これに加え、この請求項１記載の発明は、ドアハンドルの具体的形状を特定したもので、簡単な構造で、手で握りやすく、強度を確保するとともに握った感触が良好なドアハンドルを提供しようとするものである。
【０００７】
これに加え、この請求項１記載の発明は、ドアハンドル表面材とドアハンドル芯材との固定を確実にすることができるドアハンドルを提供しようとするものである。
【０００８】
【課題を解決するための手段】
本発明は、上記した目的を達成するためのものである。
請求項１記載の発明は、ドアを開閉するためにドアの表面から突出して手で握り可能に形成された全体が略Ｌ字状のドアハンドル(10)であって、金属からなるドアハンドル芯材と、そのドアハンドル芯材(30)の手で握る部分の表面を被覆するドアハンドル表面材(20)とを備え、ドアハンドル芯材(30)は、ドア表面から反ドア側に突出する基端部(40)と、この基端部(40)の先端からドア表面に対して略平行に延びるとともに手で握り可能な握持部(50)と、この握持部(50)の先端に固定ピン(33)により固定されるエルボー芯材(32)とを備え、前記握持部(50)は、柱状部(51)を備え、ドアハンドル表面材(20)は、樹脂とセルロース系材料の微粉末とを主材とする組成物から形成されるとともに、前記柱状部(51)の周囲にはめ込み可能な筒状の筒状部(21)を備えてなり、ドアハンドル芯材(30)の握持部(50)の柱状部(51)と、ドアハンドル表面材(20)の筒状部(21)との間には、ドアハンドル表面材(20)がドアハンドル芯材(30)の周囲を回転しないように一方側の表面から他方側に向かって長手方向に沿って突出する突条(22)と、他方側の表面に位置して前記突条(22)が係合する係合溝(31)とが形成され、ドアハンドル表面材(20)の筒状部(21)は、柱状部(51)の周囲にはめ込んだ状態で、前記握持部(50)と前記エルボー芯材(32)との間に介装されていることを特徴とする。
【０００９】
なお、ここで、「樹脂」とは、硬質樹脂、軟質樹脂を含み、例えば塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等である。また、ここで「セルロース系材料」とは天然木材のほか、おがくず等を含む。
【００１０】
本発明によれば、ドアハンドル(10)の手で握る部分の表面に樹脂とセルロース系材料の微粉末とからなるドアハンドル表面材(20)が形成されている。このセルロース系材料を含有しているため、天然木質材に類似する柔らかみのある弾性と小さな熱伝導率を得ることができる。これにより、ドアハンドル(10)の他の部分が金属等から形成されていても、手で握った感触が冷たく感じることもなく、温暖でしっとりとした手になじむ感触を得ることができる。
【００１１】
【００１２】
【００１３】
【００１４】
【００１５】
特に、本発明によれば、ドアハンドル(10)が、金属からなるドアハンドル芯材(30)と、その手で握る部分の表面を覆うドアハンドル表面材(20)とを備えているため、ドアハンドル芯材(30)により、ドアハンドル(10)の強度を担保することができ、ドアハンドル表面材(20)により、ドアハンドル(10)を握った感触を金属の表面とは異なる良好なものにすることができる。すなわち、ドアハンドル表面材(20)は、樹脂とセルロース系材料の微粉末とから形成されており、このセルロース系材料を含有しているため、天然木質材に類似する柔らかみのある弾性と小さな熱伝導率を得ることができる。これにより、ドアハンドル芯材(30)の金属表面が手の皮膚に直接、接触しないため、手で握った感触が冷たく感じることもなく、温暖でしっとりとした手になじむ感触を得ることができる。
【００１６】
ここで、上述したドアハンドル表面材(20)は、たとえばセルロース系材料の微粉末の表面にこの微粉末よりも小径で、かつ硬い微粉末を担持させて作成した粉体を混合した樹脂を着色成形することによって木目模様を呈するように形成することにより、外部から見えるドアハンドル表面材(20)の表面に木目模様を出すことができる。また、木質材料では原料となる天然木材の違いや、含有水分の違い等による品質のバラツキが発生するが上述したような材質からなるドアハンドル表面材(20)ではそのようなことがなく、製品のバラツキを抑えることができる。すなわち、上述した材料を用いて成形した成形品は、複雑な断面形状をなしていても木目模様を呈するので、ドアの表面に木質材、またはそれに変わる木質感のあるものを使用した場合に、外観デザインを木質調に調和させる意味で、そのドアハンドル(10)のドアハンドル表面材(20)として用いるのに適している。換言すれば、天然の木材を切削加工したのでは手間がかかるような断面形状の部材であっても、木目模様を呈する成形品として提供することができる。
【００１７】
そして、「粉体を混合した樹脂」からなるため、通常の木質材料よりも水分を吸収し難く、仮に水分が付着しても水分を拭き取れば済み、メンテナンスを容易にすることができるものである。すなわち、手垢等の汚れがこのドアハンドル表面材(20)の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強いドアハンドル表面材(20)を提供できるものである。
【００１８】
【００１９】
また、上述した柱状の柱状部(51)と、筒状の筒状部(21)との形状は、筒状部(21)が柱状部(51)にはめ込み可能に形成されていれば良いものである。例えば、柱状部(51)がその断面が円形となるような円柱状で、筒状部(21)が円筒状に形成されたり、或いは、柱状部(51)がその断面が方形となるような角柱状で、筒状部(21)が四角筒状に形成されているようなものを含むものである。
【００２０】
そして、本発明に係るドアハンドル(10)は、ドア(90)の表面から反ドア側に突出する基端部(40)と、この基端部(40)の先端からドア(90)表面に対して略平行に延びるとともに手で握り可能な握持部(50)とを備えている。すなわち、基端部(40)と握持部(50)とにより全体形状が略Ｌ字状に形成されているものである。これにより、握持部(50)を手で握り、開き戸の場合は、手前に引くか、若しくは押すことにより、引戸の場合は、左右に押してスライドさせることにより、ドア(90)の開閉作業を容易に行うことができる。また、基端部(40)の中心軸の回転とドアの開閉キーの作動とを連動するように形成した場合には、この握持部(50)を手で握って基端部(40)を中心にして回転させることにより、てこの原理により、基端部(40)をその中心軸に対して小さな力で回転させることができる。
【００２１】
また、握持部(50)は柱状の柱状部(51)を備え、ドアハンドル表面材(20)は、柱状部(51)にはめ込み可能な筒状の筒状部(21)を備えているため、柱状部(51)の先端側から筒状部(21)を押し込むことにより、握持部(50)の周囲に簡単にドアハンドル表面材(20)を形成することができる。これにより、金属からなるドアハンドル芯材(30)により強度を確保するとともに、その表面を覆うドアハンドル表面材(20)により握った感触が良好なドアハンドル(10)を容易に形成することができる。
【００２２】
【００２３】
なお、ここで、「突条(22)」及び「係合溝(31)」の形成位置は、「突条(22)」と「係合溝(31)」とのいずれか一方が、ドアハンドル芯材(30)の柱状部(51)と、ドアハンドル表面材(20)の筒状部(21)とのいずれか一方に形成され、「突条(22)」と「係合溝(31)」とのいずれか他方が、ドアハンドル芯材(30)の柱状部(51)と、ドアハンドル表面材(20)の筒状部(21)とのいずれか他方に形成されていれば良いものである。
【００２４】
また、ここで、「突条(22)」と「係合溝(31)」との形状は、「突条(22)」が「係合溝(31)」に係合することができるような形状であれば良いものである。例えば、「突条(22)」の横断面形状が三角形状で、「係合溝(31)」の横断面形状が同様の三角形状に形成されているものを含むものである。さらに、「突条(22)」及び「係合溝(31)」の横断面形状は、三角形状以外にも、半円状、半楕円状、四角状等の互いに整合するような形状であれば他の任意の形状のものも含むものである。
【００２５】
本発明によるドアハンドルによれば、ドアハンドル芯材(30)の柱状部(51)と、ドアハンドル表面材(20)の筒状部(21)との間には、長手方向に沿って突出する突条(22)とこの突条(22)が係合する係合溝(31)とが形成されている。かかる突条(22)及び係合溝(31)が柱状部(51)及び筒状部(21)の長手方向に沿って形成されているため、柱状部(51)の周囲に筒状部(21)を押し込んではめ込む際に、突条(22)及び係合溝(31)がガイド溝の役割を果たして、はめ込み作業をスムーズにすることができる。そして、一旦、柱状部(51)に筒状部(21)をはめ込むと、突条(22)が係合溝(31)の内部に係合されているため、柱状部(51)の周囲を筒状部(21)が回転してずれることを抑えることができ、両者をより強固に固定することができる。
【００２６】
【発明の実施の形態】
以下、本発明の実施の形態を図面に基づいて、更に詳しく説明する。
図１乃至図３は、本発明の実施の形態を示すものであり、図１はドアハンドルの一部縦断面図、図２はドアハンドルの正面図、図３はドアハンドルの横断面図をそれぞれ示す。
【００２７】
まず、本実施の形態の構成について説明する。
本実施の形態に係るドアハンドル10は、全体形状が略Ｌ字状であって、ドア90を開閉するためにドア90の表面から突出して手で握り可能に形成されたものである。このドアハンドル10は、金属からなるドアハンドル芯材30と、そのドアハンドル芯材30の手で握る部分の表面を覆うドアハンドル表面材20とを備えている。そして、このドアハンドル10は、ドア90の一方の側端近傍の表裏に１個ずつ、ドアハンドル支持部60によりドア90表面に固定されている。
このドアハンドル支持部60は、全体形状がリング状の樹脂からなる樹脂座61と、この樹脂座61の表面を覆う薄板金属からなる座カバー62とを備えている。前記樹脂座61は、固定ねじ63によりドア90に固定されている。そして、ドア90の両側に位置するドアハンドル芯材30同士は、貫通芯材64により、互いに固定されている。なお、この貫通芯材64は、特に図示していないが、ドア90の開閉ロック機構と連動するように形成されているものである。この開閉ロック機構は、ドアハンドル10を回転させることにより、ドア90の端縁から金物が進退して、ドア90のロックとロック解除と行うものである。なお、本実施の形態では、ドア90は開き戸であるが、使用することができるドア90の種類は、特にこれに限定されるものではなく、引戸等の他の種類のドアにも使用することができるものである。
【００２８】
前記ドアハンドル芯材30は、ドア90の表面から反ドア側に突出する基端部40と、この基端部40の先端からドア90の表面に対して略平行に延びるとともに手で握り可能な握持部50と、この握持部50の先端に固定ピン33により固定される全体形状がエルボー状のエルボー芯材32とを備えている。前記握持部50は、円形の同一断面を有する円柱状の柱状部51を備えている。
【００２９】
前記ドアハンドル表面材20は、前記柱状部51の周囲にはめ込み可能な筒状の筒状部21を備えている。ドアハンドル表面材20には、ドアハンドル表面材20がドアハンドル芯材30の周囲を回転しないようにドアハンドル表面材20の内側表面からドアハンドル芯材30側に向かって長手方向に沿って突出する断面形状が三角形の突条22が、ドアハンドル表面材20の内面に９０度間隔で４個形成されている。そして、ドアハンドル芯材30の柱状部51の外側表面には、前記突条22が係合する断面形状が三角形の係合溝31が同様の位置に形成されている。
【００３０】
そして、前記ドアハンドル表面材20は、樹脂と、セルロース系材料の微粉末とを主材とする組成物より形成されている。更に、具体的には、ドアハンドル表面材20は、セルロース系材料の微粉末の表面にこの微粉末よりも小径で、かつ硬い微粉末を担持させて作成した粉体を混合した樹脂を着色成形することによって木目模様を呈するように形成されている。
【００３１】
次に、上記した実施の形態の作用及び効果について説明する。
本実施の形態に係るドアハンドル10において、ドアハンドル表面材20は、上述したような材質からなるため、外部から見えるドアハンドル表面材20の表面に木目模様を出すことができる。また、木質材料では原料となる天然木材の違いや、含有水分の違い等による品質のバラツキが発生するが上述したような材質からなるドアハンドル表面材20ではそのようなことがなく、製品のバラツキを抑えることができる。すなわち、上述した材料を用いて成形した成形品は、複雑な断面形状をなしていても木目模様を呈するので、ドア90の表面に木質材、またはそれに変わる木質感のあるものを使用した場合に、外観デザインの調和上、そのドアハンドル10のドアハンドル表面材20として用いるのに適している。換言すれば、天然の木材を切削加工したのでは手間がかかるような断面形状の部材であっても、木目模様を呈する成形品として提供することができる。
【００３２】
そして、粉体を混合した樹脂からなるため、通常の木質材料よりも水分を吸収し難く、仮に水分が付着しても水分を拭き取れば済み、メンテナンスを容易にすることができるものである。すなわち、手垢等の汚れがこのドアハンドル表面材20の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強いドアハンドル表面材20を提供することができる。
【００３３】
前記ドアハンドル表面材20は、上述した顔料を使用して、樹脂自体を着色しているため、表面のみではなく、内部にまで木目模様を呈するように形成されている。これにより、繰り返し使用することにより、手で握る部分が磨耗しても表面の木目模様が消えることがなく、良好な木目模様の外観を維持することができる。
【００３４】
また、本実施の形態によれば、ドアハンドル10が、金属からなるドアハンドル芯材30と、その手で握る部分の表面を覆うドアハンドル表面材20とを備えている。このため、ドアハンドル芯材30により、ドアハンドル10の強度を担保することができ、ドアハンドル表面材20により、ドアハンドル10を握った感触を金属の表面とは異なる良好なものにすることができる。
すなわち、ドアハンドル表面材20は、樹脂とセルロース系材料の微粉末とから形成されており、このセルロース系材料を含有しているため、天然木質材に類似する柔らかみのある弾性と小さな熱伝導率を得ることができる。これにより、ドアハンドル芯材30の金属表面が手の皮膚に直接、接触しないため、手で握った感触が冷たく感じることもなく、温暖でしっとりとした手になじむ感触を得ることができる。
【００３５】
さらに、本実施の形態に係るドアハンドル10は、ドア90の表面から反ドア側に突出する基端部40と、この基端部40の先端からドア90表面に対して略平行に延びるとともに手で握り可能な握持部50とを備えている。すなわち、基端部40と握持部50とにより全体形状が略Ｌ字状に形成されているものである。これにより、握持部50を手で握り、手前に引くか、若しくは押すことにより、ドア90の開閉作業を容易に行うことができる。また、基端部40の中心軸の回転とドアの開閉キーの作動とを連動するように形成した場合には、この握持部50を手で握って基端部40を中心にして回転させることにより、てこの原理により、基端部40をその中心軸に対して小さな力で回転させることができる。これにより、特に図示していないが、ドア90の開閉ロック機構により、ドア90のロック及びロック解除を容易にすることができる。なお、本実施の形態におけるドアハンドル10は、回転可能なものとしたが、開閉ロック機構を形成せずに、回転することなく、ドア90に対して固定させても良いものである。
【００３６】
そして、握持部50は円柱状の柱状部51を備え、ドアハンドル表面材20は、柱状部51にはめ込み可能な円筒状の筒状部21を備えている。このため、柱状部51の先端側から筒状部21を押し込むことにより、握持部50の周囲に簡単にドアハンドル表面材20を形成することができる。これにより、金属からなるドアハンドル芯材30により強度を確保するとともに、その表面を覆うドアハンドル表面材20により握った感触が良好なドアハンドル10を容易に形成することができる。
【００３７】
本実施の形態は、ドアハンドル芯材30の柱状部51と、ドアハンドル表面材20の筒状部21との間には、長手方向に沿って突出する突条22とこの突条22が係合する係合溝31とが形成されている。かかる突条22及び係合溝31が柱状部51及び筒状部21の長手方向に沿って形成されているため、柱状部51の周囲に筒状部21を押し込んではめ込む際に、突条22及び係合溝31がガイド溝の役割を果たして、はめ込み作業をスムーズにすることができる。そして、一旦、柱状部51に筒状部21をはめ込むと、突条22が係合溝31の内部に係合されているため、柱状部51の周囲を筒状部21が回転してずれることを抑えることができ、両者をより強固に固定することができる。
【００３８】
上述したように本実施の形態では全体形状が略Ｌ字状のドアハンドル10を適用対象とし、その直線状の部分にドアハンドル表面材20を被せているが、このドアハンドル表面材20の適用対象となるドアハンドル10の形状は、特にこれに限定されるものではなく、通常のドアハンドル10として使用可能な形状のものであれば他の任意の形状のものにも、適用することができる。しかも、木質材では、切削加工の手間が掛かり、適用が難しいような曲線状や複雑な形状のものに対しても、本実施の形態に係るドアハンドル表面材20は、樹脂を含む成形品として容易に形成することができて、簡単に適用することができる。例えば、特に図示しないが、全体形状は略Ｌ字状であるが、その手で掴む部分が直線状ではなく、緩やかな曲線に沿った円弧状の部分を有するドアハンドルであっても、容易に適用することができる。すなわち、円弧状の金属からなる柱状部の長手方向の一方の端部から、その表面にはまり込むような同様の円弧筒状の成形品であるドアハンドル表面材をスライドしてはめ込むことにより簡単に形成することができるものである。
【００３９】
また、特に図示しないが、ドア表面に平行に固定され、手で掴む部分の形状が円形リング状のものや、細長リング形の略Ｏ字状のドアハンドルに対しても、簡単に適用することができる。すなわち、上述した円弧状の部分と直線状の部分とを組み合わせることにより筒状のドアハンドル表面材を使用して簡単に形成することができる。或いは、ドアハンドル表面材を室内側とドア側との表裏二部材から構成し、全体形状が円形リング状に成形した表裏二部材を表裏から組み合わせることにより形成することもできる。
【００４０】
【発明の効果】
本発明は、以上のように構成されているので、以下に記載されるような効果を奏する。
請求項１記載の発明によれば、金属表面に直接、手の皮膚が接触することを抑えることができるとともに、セルロース系材料が含有されていることにより、樹脂材特有のツルッとした感触がなくなり、天然木製建材に類似する柔らかみのある弾性と小さな熱電導率を有し、温暖でしっとりとした手になじむ感触を与えることができるドアハンドル表面材を使用したドアハンドルを提供することができる。
【００４１】
また、この請求項１記載の発明によれば、手間をかけずに製品品質のばらつきが少ないうえに木目模様を呈することが可能であり、外観が良好なドアハンドル表面材を使用したドアハンドルを提供することができる。
【００４２】
さらに、この請求項１記載の発明によれば、ドアハンドルの具体的形状を特定したもので、簡単な構造で、手で握りやすく、強度を確保するとともに握った感触が良好なドアハンドルを提供することができる。
【００４３】
また、この請求項１記載の発明によれば、ドアハンドル表面材とドアハンドル芯材との固定を確実にすることができるドアハンドルを提供することができる。
【図面の簡単な説明】
【図１】  本発明の実施の形態を示すものであり、ドアハンドルを示す一部縦断面図である。
【図２】  本発明の実施の形態を示すものであり、ドアハンドルを示す正面図である。
【図３】  本発明の実施の形態を示すものであり、ドアハンドルを示す横断面図である。
【符号の説明】
10…ドアハンドル、20…ドアハンドル表面材、21…筒状部、22…突条、30…ドアハンドル芯材、31…係合溝、32…エルボー芯材、33…固定ピン、40…基端部、50…握持部、51…柱状部、60…ドアハンドル支持部、61…樹脂座、62…座カバー、63…固定ねじ、64…貫通芯材、90…ドア。
【図１】
0003989992.tif 000002
【図２】
0003989992.tif 000003
【図３】
0003989992.tif 000004